(57)【要約】【課題】自然雨に近い人工雨を実現させる簡便な構造の人工降雨用ノズルを提供する。【解決手段】人工降雨用ノズル１は水供給源２に螺着される継手部５と、これに連結される細管６及びフレキシブルチューブ７等とからなる。細管６等の内径を数ｍｍのものとし、水供給源２からの水量、圧力を適宜設定することにより、フレキシブルチューブ７は振れながら自然雨に近似する雨を噴出する。【選択図】図４
2006204272.tif 000002
【特許請求の範囲】
【請求項１】
自然雨に近似する人工雨を降雨するに使用される人工降雨用ノズルであって、該ノズルは、水供給源に着脱可能に連結される継手部と、該継手部に連結される細管と、該細管に連結されるフレキシブルチューブとからなることを特徴とする人工降雨用ノズル。
【請求項２】
前記フレキシブルチューブの前記細管側にはガイドフィンが設けられることを特徴とする請求項１に記載の人工降雨用ノズル。
【請求項３】
前記細管及びフレキシブルチューブの内径が小径のものからなることを特徴とする請求項１又は２に記載の人工降雨用ノズル。
【請求項４】
前記請求項１乃至３に記載の人工降雨用ノズルが、前記水供給源に複数個設けられることを特徴とする人工降雨用ノズル。
【発明の詳細な説明】
【技術分野】
【０００１】  本発明は、自然雨に近似する人工雨を実現させるために水供給源に連結されるノズルに係り、構造が簡単で、既設の水供給源にも連結可能な人工降雨用ノズルに関する。
【背景技術】
【０００２】  既存のノズルでは粒径と降雨量の関係から自然に近い降雨を再現するのが難しい。乗り物、建築物、その他屋外で使われる物等の自然の降雨に対する耐久性，耐水性，視認性，感知性を人工的な降雨を使って調べるための人工降雨装置が各分野で使われ始めている。既存の降雨用ノズルは降雨の粒径を選定する上でノズルの構造上、調整範囲が制限されてしまい、希望する粒径を設定することは難しい。また、小雨量から大雨量までの大きな使用範囲を実現するには大掛かりな供給設備が必要である。既存の降雨用ノズルは希望する粒径（例：１ｍｍ〜３ｍｍ）を得ようとすると多くの流量が必要になり、希望した降雨量が得られ無くなる。反対に、大降雨量を得ようとすると雨粒が霧状態になってしまい、必要な降雨粒径が得られ無くなり、降雨の再現が難しい。更に、自然雨に近い降雨を再現させるには大量の流量と大掛かりな水圧供給設備が必要である。また、人工降雨用ノズルに近似するノズルに関する公知技術として「特許文献１」及び「特許文献２」が挙げられる。
【特許文献１】特開２００４−１０５９４０号（図１）
【特許文献２】特開平８−２４７３１７（図１）
【発明の開示】
【発明が解決しようとする課題】
【０００３】  前記のように、既存の技術では自然雨に近い人工雨を実現させることは難しく、かつかなりの大掛かりの設備が必要となるという問題点がある。また、前記の「特許文献１」の「洗浄用チューブノズル」や「特許文献２」の「降雨ノズルユニット及び可変降雨装置」は夫々特徴を有するものであるが、前者は降雨を目的とせず洗浄用のものであり、その構造では自然雨に近い人工雨を実現することが難しい。また、後者については、降雨実現に用いられるノズルユニットであり、降り始めや降り終わりのノズルからのボタ落ちを防止することを目的とするものであり、構造が複雑であると共に、そのノズルユニットで自然雨に近い人工雨を実現させることは難しい。【０００４】  自然雨に近い人工雨を実現させる手段としては、ノズルの内径やその長さ及び供給水量をコントロールする必要があると共に、ノズルを柔軟性のある適宜の長さのものとし、適宜の水圧を加え、全体を振らせる必要がある。即ち、ノズルの形状と供給水量を適宜設定することによりコリオリの加速度の原理にあるように全体を振らせることができる。また、噴出する水量をコントロールすることが自然雨に近い人工雨を実現させることができる。【０００５】  本発明は、以上の事情に鑑みて発明されたものであり、比較的簡単な構造からなり、既設の水供給源にも連結でき、自然雨に近い人工雨を実現でき、設置費用も安く、保守性もよい人工降雨用ノズルを提供することを目的とする。
【課題を解決するための手段】
【０００６】  本発明は、以上の目的を達成するために、請求項１の発明は、自然雨に近似する人工雨を降雨するに使用される人工降雨用ノズルであって、該ノズルは、水供給源に着脱可能に連結される継手部と、該継手部に連結される細管と、該細管に連結されるフレキシブルチューブとからなることを特徴とする。【０００７】  また、請求項２の発明は、前記フレキシブルチューブの前記細管側にはガイドフィンが設けられることを特徴とする。【０００８】  また、請求項３の発明は、前記細管及びフレキシブルチューブの内径が小径のものからなることを特徴とする。【０００９】  また、請求項４の発明は、前記請求項１乃至３に記載の人工降雨用ノズルが、前記水供給源側に複数個設けられることを特徴とする。
【発明の効果】
【００１０】  本発明の請求項１の人工降雨用ノズルによれば、この人工降雨用ノズルは、水供給源に連結される継手部に内径の小さい細管とフレキシブルチューブを連結したものからなる。適量の水を細管及びフレキシブルチューブ内に送ることにより自然雨に近い粒径の降雨が得られると共にフレキシブルチューブが噴出する水の勢いにより振動し、自然雨に近い人工雨を降雨させることができる。即ち、細管等の内径と、供給水の水量，圧力と、フレキシブルチューブの長さを適宜設定することにより自然雨に近い人工雨を実現させることができる。【００１１】  また、請求項２の人工降雨用ノズルによれば、フレキシブルチューブの振れが大きい場合にこの振れ制限のためのガイドフィンをフレキシブルチューブの細管側に設けられることにより、相互干渉がなくなり、ガイドフィンがない場合よりも自然雨に近い人工雨を得ることができる。【００１２】  また、請求項３の人工降雨用ノズルによれば、細管及びフレキシブルチューブの内径を例えば１ｍｍ乃至３ｍｍの小径にすることにより、自然雨に近い人工雨が得られる。【００１３】  また、請求項４の人工降雨用ノズルによれば、この人工降雨用ノズルを複数個配置することにより、ある面積の範囲内に自然雨に近い人工雨を実現させることができる。
【発明を実施するための最良の形態】
【００１４】  以下、本発明の人工降雨用ノズルの実施の形態を図面を参照して詳述する。
【実施例１】
【００１５】  図１は本実施例における人工降雨用ノズル１を示す。なお、図１（ａ）は水供給源２と人工降雨用ノズル１とが離れている装着前の状態を示し、図１（ｂ）は水供給源２に人工降雨用ノズル１を連結した状態を示す。また、図１では水供給源２としてホース３とソケット４とを有するものからなり、ホース３は例えば図略の水道水供給源に連結される。但し、水供給源２は以上のものに限定するものではなく、ポンプ付きの水タンクやその他のものでもよい。【００１６】  人工降雨用ノズル１は、水供給源２のソケット４に螺着される継手部５と、これに連結される細管６と、細管６に連結されるフレキシブルチューブ７等とからなる。なお、細管６とフレキシブルチューブ７の内径ｄは１ｍｍ乃至３ｍｍの範囲のものが採用されているが、水供給源２からの水量やその水圧及び細管６やフレキシブルチューブの長さ等を勘案し、適宜の小径ものが採用される。但し、本実施例では、以上の１ｍｍ乃至３ｍｍの内径ｄが実現上最適のものとして設定される。
【実施例２】
【００１７】  前記の実施例１の人工降雨用ノズル１の問題点としては、フレキシブルチューブ７の振れが大となり、安定した降雨が得られなくなると共に、複数個の人工降雨用ノズルを隣接して配置した場合に隣りの人工降雨用ノズル２との干渉が生じ、均一な人工雨が得られなくなる問題点がある。本実施例では、以上の問題点を解消するものであり、図２に示すように、この人工降雨用ノズル１ａは図２（ａ）に示すように、フレキシブルチューブ７の細管６側の一部にガイドフィン８を装着したものからなる。図２（ｂ）は図２（ａ）のＡ−Ａ線拡大断面図である。この実施例では薄厚の矩形状のガイドフィン８がフレキシブルチューブ７の基端側に連結したものからなる。このガイドフィン８の厚みや寸法を適宜設定することによりフレキシブルチューブ７の振れを所望の数値に設定することができる。
【実施例３】
【００１８】  図３は、ガイドフィンの形状の異なる人工降雨用ノズル１ｂを示す。このガイドフィン８ｂは実施例２と同じくフレキシブルチューブ７の細管６側の一部に連結されるものであるが、フレキシブルチューブ７の先端側に向かって縮寸するものからなる。即ち、テーパ状の形態のものからなる。このようにガイドフィン８ｂの形状を設定することにより、振れを適宜にコントロールすることができる。【００１９】  図４は、前記人工降雨用ノズル１等のフレキシブルチューブ７の振れの状態を示すものであり、点線はガイドフィン８（８ｂ）がない場合のフレキシブルチューブ７の振れの状態を示し、実線は実施例２及び実施例３のようにガイドフィン８（８ｂ）を有する場合の振れの状態を示すものである。これにより、フレキシブルチューブ７からの噴出量が同一でも、フレキシブルチューブ７の振れが制御され、隣接するものとの干渉もなく、自然雨に近似する人工雨を実現させることができる。
【実施例４】
【００２０】  図５は、前記人工降雨用ノズル１（１ａ，１ｂ）を複数個設けたものを示す。水供給源２には回転継手９を介してベースユニット管１０が回転可能に連結される。このベースユニット管１０には、前記した構造の人工降雨用ノズル１（１ａ，１ｂ）が複数本、隣接して連結される。なお、図５は実施例３に基づく人工降雨用ノズル１ｂが複数本隣接して連結されたものを示す。人工降雨用ノズル１を複数個設けることにより、夫々の人工降雨用ノズル１から噴出され、広範囲にわたり人工雨を実現させることができる。【００２１】  以上の説明において、ガイドフィンとしてガイドフィン８，８ｂを示したが、この形状に限定するものではない。また、継手部５の形状も前記のものに限定するものではない。
【産業上の利用可能性】
【００２２】  本発明の人工降雨用ノズルは、人工雨を必要とするすべての場所に配置されるが、例えば、ハウス栽培，ビルの屋上の緑化部の散水，畑，空き地，グランド等に配置され、その場所における土煙や砂ぼこりを防止するものに適用されるが、勿論それ等に限定するものではなく、降雨を必要とする他のすべての場所に適用されその利用範囲は広い。
【図面の簡単な説明】
【００２３】
【図１】本発明の人工降雨用ノズルの平面図、なお、図１（ａ）は継手部装着前の状態を示し、図１（ｂ）は装着した状態を示す。
【図２】ガイドフィンを設けた人工降雨用ノズルを示す部分平面図（ａ）と（ａ）のＡ−Ａ線拡大断面図。
【図３】図２のガイドフィンと異なる形状のガイドフィンを設けた人工降雨用ノズルを示す平面図。
【図４】本発明の人工降雨用ノズルからの噴出状態と噴出時とにおけるフレキシブルチューブの振れ状態を示す模式的平面図。
【図５】複数個の人工降雨用ノズルを設けた人工降雨装置を示す模式的平面図。
【符号の説明】
【００２４】  １    人工降雨用ノズル
１ａ  人工降雨用ノズル
１ｂ  人工降雨用ノズル
２    水供給源
３    ホース
４    ソケット
５    継手部
６    細管
７    フレキシブルチューブ
８    ガイドフィン
８ｂ  ガイドフィン
９    回転継手
１０  ベースユニット管
【図１】
2006204272.tif 000003
【図２】
2006204272.tif 000004
【図３】
2006204272.tif 000005
【図４】
2006204272.tif 000006
【図５】
2006204272.tif 000007